(57)【要約】【課題】  ロケット花火を用いる鳥獣撃退用の花火発射器において、ロケット花火を任意の方向へ安全に発射できるようにする。【解決手段】  ロケット花火発射棒２３は棒状体に形成され、少なくとも一方の先端が筒体２７となっている。保耐火性保護板２５には発射棒２３が貫通し、この発射棒２３の先端Ｐ側に寄った位置に密着固定されている。保護板２５は、この周縁部が発射棒２３の筒体２７に近づくように漏斗状の形状を有している。発射棒２３の筒体２７にロケット花火を支持させ、発射棒２３の他方の端部側を持ち、任意の方向に向けてロケット花火の発射が可能になっている。【選択図】  図１
2005121268.tif 000002
【特許請求の範囲】
【請求項１】
先端側が開放された筒体を有し、この筒体にロケット花火の枝部が挿入支持される耐火性のロケット花火発射棒と、
この発射棒が貫通されて前記先端側に寄った位置で前記発射棒に密着固定され、当該周縁部が前記筒体側に近づくように成形された耐火性保護板と、
を具備し、
前記発射棒からのロケット花火の発射によって動物のおどし可能に形成されたことを特徴とするロケット花火発射器。
【請求項２】
前記保護板は、前記筒体側を包むような漏斗状に形成されてなる請求項１記載のロケット花火発射器。
【請求項３】
前記保護板は、金属板から成形加工して形成されてなる請求項１又は２項記載のロケット花火発射器。
【請求項４】
前記発射棒は、複数の前記筒体を分散して有する請求項１〜３項のいずれか１項記載のロケット花火発射器。
【発明の詳細な説明】
【技術分野】
【０００１】
本発明はロケット花火発射器に係り、特に、ロケット花火又は飛翔花火と称されるように花火本体がロケットのように飛翔する花火を用いる鳥獣撃退用の花火発射器に関する。
【背景技術】
【０００２】
近年、動物たとえばカラスや猿などは、害鳥獣となって農作物を荒したり住民に危害を加える事態が発生するようになってきたし、飛行場では鳥が航空機のエンジンに吸い込まれて事故を発生させる事態も発生するようになってきた。
【０００３】
そこで、農地、住宅地、飛行場などでは、花火本体がロケットのように飛翔するロケット花火を用い、その発射音および花火本体の突然の飛翔によって鳥や猿をおどして追い払う工夫がなされている。
【０００４】
そして、ロケット花火は、火花を飛散させながら発射されるので、安全性を確保する観点から次のようなものを用いて使用されている。
【０００５】
すなわち、図６に示すように、板状又は皿状の基板１の中央部から筒体３を垂直に樹立して花火発射台５を形成し、ロケット花火７の枝部９を筒体３の先端から差し込み、ロケット花火７の花火本体１１から延びる導火線１３に点火して使用するものであり、花火発射台５を鳥獣撃退用に使用する例である。特許文献１はこの種のものである。
【０００６】
また、図７に示すように、複数のロケット花火７を並列に支持できるよう扁平な箱形に発射台本体１５を形成するとともに、発射台本体１５上側の開口部にはロケット花火７の導火線１３を支持する支持部１７を形成したものである。
【０００７】
そして、発射台本体１５の開口部から複数のロケット花火７の枝部９を差し込んで導火線１３を支持部１７に支持させ、複数のロケット花火７に順次点火して使用するもので、やはり発射台本体１５を鳥獣撃退用として使用する例である。図７中の符号１９は縦置きした発射台本体１５の支え板である。特許文献２はこの種のものである。
【特許文献１】特開平７−１７４４９８号
【特許文献２】特開２００２−１６２１９７号
【発明の開示】
【発明が解決しようとする課題】
【０００８】
しかしながら、ロケット花火発射器としての上述した花火発射台５又は発射台本体１５は、本来の遊びとしての花火の発射と同様に、それらを地面に置いて使用するものであり、ロケット花火７を上に向けて垂直に発射するものであるから、任意の方向に発射させることができない。
【０００９】
そのため、農地、住宅地、飛行場などに出現した鳥や猿などに向けてロケット花火７を発射することが困難で、鳥や猿などを驚かせて追い払うには迫力がなく、害鳥獣の追い払い効果を期待し難いのが実情である。
【００１０】
本発明はそのような状況の下になされたもので、害鳥獣としての鳥や猿などを強い迫力で驚かせることが容易で、害鳥獣の高い追い払い効果が期待でき、構成も簡単で安全性の高いロケット花火発射器の提供を目的とするものである。
【課題を解決するための手段】
【００１１】
このような課題を解決するために本発明に係る栽培用支持具は、先端側が開放された筒体を有しこの筒体にロケット花火の枝部が挿入支持される耐火性のロケット花火発射棒と、この発射棒が貫通されてこの先端側に寄った位置でその発射棒に密着固定され、当該周縁部がその筒体側に近づくように成形された耐火性保護板とを具備し、その発射棒からのロケット花火の発射によって動物をおどせることを特徴としている。
【００１２】
本発明における上記保護板は、上述した筒体を包むような漏斗状に形成することが可能である。
【００１３】
本発明における上記保護板は、金属板から成形加工して形成することが好ましい。
【００１４】
本発明における上記発射棒は、複数の筒体を分散して有することが可能である。
【発明の効果】
【００１５】
本発明に係るロケット花火発射器は、先端側が開放された筒体を有する棒状体を用いて、その筒体にロケット花火の枝部が挿入支持される耐火性のロケット花火発射棒を形成し、耐火性保護板に発射棒を貫通させ、その発射棒の当該先端側に寄った位置でその筒体側に近づくようにその保護板を形成するとともに発射棒に密着固定し、その発射棒からのロケット花火の発射によって動物をおどせるようにしたことを特徴とするから、その発射棒の他方の先端側を持てば、任意の方向にロケット花火の発射が可能で、害鳥獣としての鳥や猿などを強い迫力で驚かせることが容易で、害鳥獣の高い追い払い効果が期待できるうえ、ロケット花火からの火花を保護板で防いで高い安全性を確保できる。
【００１６】
また、上述した発射棒の筒体側を包むような漏斗状に上記保護板を形成する構成では、点火したロケット花火から飛び散る火花を使用者側へより確実に届き難くし、使用上の安全の確保が一層確実となる。
【００１７】
さらに、金属板から上記保護板を成形加工する構成では、点火したロケット花火から飛び散る火花によってその保護板が損傷し難い。
【００１８】
そして、上記発射棒に複数の筒体を分散して形成する構成では、複数のロケット花火を短時間で発射可能となる。
【発明を実施するための最良の形態】
【００１９】
以下、本発明の実施の形態を図面を参照して説明する。従来例と共通する部分には同一の符号を付す。
【００２０】
図１および図２は本発明に係る鳥獣撃退用のロケット花火発射器を示す斜視図および断面図である。
【００２１】
図１および図２において、本発明のロケット花火発射器２１は、ロケット花火の発射棒２３と、これに固定された耐火性保護板２５とを有して構成されている。
【００２２】
発射棒２３は、少なくとも一方の先端Ｐ側が開放された筒体２７を有する細長い１５ｃｍ前後から１ｍ程度の任意の長さを有する耐火性たとえば金属製の棒状体である。
【００２３】
この発射棒２３の先端側筒体２７には、後述するようにロケット花火７の枝部９が挿入されて支持可能になっている。
【００２４】
発射棒２３は全体が筒状になった構成の他、図１中の破線で示すように、発射棒２３の筒体２７を残して内部が一体的又は別体で塞がれていてもよく、他方の先端部ｐから発射棒２３内部へ挿入するように止栓２３ａで塞いでもよく、少なくとも先端のみが筒体２７になっていればよい。
【００２５】
保護板２５は、金属製の板体から漏斗状に形成されており、突出する中央先端部には貫通孔２９が形成するとともこれを囲むようにボス部３１が外側（拡開方向と反対方向）へ突設されている。
【００２６】
保護板２５は、発射棒２３の先端Ｐ側に拡開するように貫通孔２９に発射棒２３がはめ込まれ、ボス部３１を発射棒２３の外側に接着剤、溶接、半田付けその他公知の固定方法により密着固定されている。
【００２７】
保護板２５は、発射棒２３の先端Ｐ側に寄せて固定されており、発射棒２３の先端Ｐが保護板２５の開放端面（周縁部）から突出しないよう、すなわち保護板２５の開放端面から内側に位置するように固定されている。発射棒２３は、その先端Ｐ側を保護板２５の開放端面より突出させる位置関係で固定することも可能である。
【００２８】
発射棒２３にあってボス部３１から突出する他方の先端部ｐ側の外周には、筒型にして弾力性のあるカバー３３が有り、使用者が手で握れる把持部が形成されている。
【００２９】
そのため、本発明のロケット花火発射器２１は、使用者がカバー３３を手で握れば、発射棒２３の先端Ｐ側、すなわち保護板２５の開放端を任意の方向に向けて指し示すことが可能である。
【００３０】
このような本発明のロケット花火発射器２１は、図３に示すように、５〜６ｃｍ程度の細長い花火本体１１と、これに竹ひごなどを沿わせて固定するとともに下方へ長く突出させた枝部９を有する従来公知のロケット花火７を用意し、その枝部９を発射棒２３の先端Ｐから筒体２７へ差し込んで支持させ、ロケット花火７の下から延びる導火線１３に点火するとともに、発射棒２３の先端Ｐ側（保護板２５の開放端）を任意の方向に向ければ、ロケット花火７がその指し示した方向へ飛翔する。
【００３１】
従って、農地、住宅地、飛行場などにおいて、カラスや猿が出現した場合、それらの方向に向けてロケット花火７の発射が容易となり、ロケット花火７の発射音および花火本体１１の突然の飛翔によってカラスや猿を確実におどして追い払うことができる。
【００３２】
しかも、ロケット花火７への点火によって花火本体１１下部から飛び散る火花や火の粉は、保護板２５に当たるので、保護板２５を適当な径寸法、例えば少なくとも５ｃｍ以上に選定すれば、カバー３３を握った手に火花や火の粉が当たることはなく、使用者にとって安全であるし、万一、花火本体１１が破裂しても使用者に障害は生じ難い。
【００３３】
特に、保護板２５は、漏斗状に形成されて発射棒２３の先端Ｐ側に向けて開放し、筒体２７側を包むように形成されているから、特に、安全性が高い。
【００３４】
さらに、発射棒２３や保護板２５は、金属材料で形成されているから、点火したロケット花火７から飛び散る火花によってそれらが損傷し難く、耐久性も良好な利点がある。
【００３５】
もっとも、本発明における発射棒２３や保護板２５は、金属製に限定されず、たとえば合成樹脂であっても差し支えないが、耐火性や耐熱性の良好な材料が好ましい。
【００３６】
上述した本発明のロケット花火発射器２１における保護板２５は、発射棒２３の先端Ｐを包むような漏斗状に形成したが、本発明ではこれに限定されない。
【００３７】
たとえば、図４に示すように、円盤状にして周縁部を発射棒２３の先端Ｐ側に向けて立ち上げるように屈曲させた皿状に形成した保護板３５を用いれば、ロケット花火７から飛び散る火花が、保護板３５に当たってカバー３３を握った手に達することはなく、同様に安全である。
【００３８】
本発明のロケット花火発射器２１における保護板２５は、要は、当該周縁部が発射棒２３の筒体２７に近づくように成形されていれば本発明の目的達成が可能である。
【００３９】
さらに、本発明のロケット花火発射器２１では、図５に示すように、発射棒２３の先端Ｐ側に複数の筒体３７を分散形成する構成も可能であり、発射棒２３に複数の筒体３７を分散形成すれば、複数のロケット花火７を短時間で発射できる。
【００４０】
ところで、上述した発射棒２３において、この先端Ｐからの深さ寸法Ｓ（図３参照）を、ロケット花火７の枝部９における導火線１３と枝部９先端間ｓ（図１参照）より多少短く選定すれば、その枝部９を発射棒２３の先端Ｐから差し込んだロケット花火７の導火線１３が発射棒２３の筒体２７内に隠れないので、導火線１３に点火し易い。
【００４１】
しかも、発射棒２３の他端ｐ側から挿入する止栓２３ａの挿入長を可変して、発射棒２３の先端Ｐからの深さ寸法Ｓを可変可能に形成すれば、種々の枝部９の長さを有するロケット花火７にも対応できる。
【００４２】
なお、分散形成する複数の筒体３７に形成形態としては、図５のように発射棒２３の長手（軸方向）方向に対して多少の角度を設ける構成や、図示はしないが多少の間隔を置いて発射棒２３と同方向に平行配置する構成など任意である。
【００４３】
もっとも、その場合においても、保護板２５や３３はすべての筒体２７、３７の先端側に開くように成形される必要がある。
【図面の簡単な説明】
【００４４】
【図１】本発明に係るロケット花火発射器の実施の形態を示す斜視図である。
【図２】図１のロケット花火発射器の断面図である。
【図３】図１のロケット花火発射器の使用例を示す斜視図である。
【図４】本発明に係るロケット花火発射器の他の形態を示す縦断面図である。
【図５】本発明に係るロケット花火発射器の他の形態を示す縦断面図である。
【図６】従来の花火発射台を示す斜視図である。
【図７】従来の花火発射台を示す斜視図である。
【符号の説明】
【００４５】
１  基板
３、２７、３７  筒体
５  花火発射台
７  ロケット花火（飛翔花火）
９  枝部
１１  花火本体
１３  導火線
１５  発射台本体
１７  支持部
１９  支え板
２１  ロケット花火発射器
２３  発射棒
２３ａ  止栓
２５、３５  保護板
２７  筒体
２９  貫通孔
３１  ボス部
３３  カバー
【図１】
2005121268.tif 000003
【図２】
2005121268.tif 000004
【図３】
2005121268.tif 000005
【図４】
2005121268.tif 000006
【図５】
2005121268.tif 000007
【図６】
2005121268.tif 000008
【図７】
2005121268.tif 000009